【手続補正書】
【提出日】平成25年8月13日(2013.8.13)
【手続補正１】
【補正対象書類名】特許請求の範囲
【補正対象項目名】全文
【補正方法】変更
【補正の内容】
【特許請求の範囲】
【請求項１】
薬物送達ポンプであって、
薬物貯蔵部と、
該貯蔵部から標的部位まで液体を誘導するカニューレと、
該液体を該貯蔵部から該カニューレを通して押し進めるポンプアクチュエータと、
回路であって、該回路は、該アクチュエータを制御することにより、ｉ）最初に、実質的に固定した投与量の該液体を経時的に該標的部位に送達することと、ｉｉ）該実質的に固定した投与量の該液体の該標的部位への経時的な送達を維持または再開するように、該ポンプの状態の変化を補償することとを行う、回路と
を備える、ポンプ。
【請求項２】
前記回路は、以前の送達事象のときにおける前記ポンプの状態を保存するメモリを備える、請求項１に記載のポンプ。
【請求項３】
前記カニューレを通る前記液体の流量を測定する流量センサをさらに備える、請求項１に記載のポンプ。
【請求項４】
前記回路は、前記流量の解析に少なくとも部分的に基づいて、前記アクチュエータを制御する、請求項３に記載のポンプ。
【請求項５】
前記回路は、以前の投与からの保存された前記ポンプの状態に基づいて、前記アクチュエータをさらに制御する、請求項４に記載のポンプ。
【請求項６】
前記回路は、前記アクチュエータからのリアルタイムデータに基づいて、該アクチュエータをさらに制御する、請求項４に記載のポンプ。
【請求項７】
前記アクチュエータは、
電解液チャンバと、
拡張可能なダイヤフラムであって、該チャンバと前記貯蔵部とを分離し、それらの間に流体障壁を提供するダイヤフラムと、
該電解液チャンバ内にガスの発生を引き起こして、該ダイヤフラムを拡張させる電解電極であって、それにより、該液体が該貯蔵部から前記カニューレの中に押し進められる、電解電極と
を備える、請求項１に記載のポンプ。
【請求項８】
ダイヤフラムの拡張は、前記電極に供給される作動電流を変化させることによって調整される、請求項７に記載のポンプ。
【請求項９】
ダイヤフラムの拡張は、前記電極の作動時間を変化させることによって調整される、請求項７に記載のポンプ。
【請求項１０】
前記電解電極は、定電流によって駆動される、請求項７に記載のポンプ。
【請求項１１】
前記電解電極は、時変電流波形によって駆動される、請求項７に記載のポンプ。
【請求項１２】
前記実質的に固定した投与量の前記液体は、周期的な時間間隔で前記標的部位に送達される、請求項１に記載のポンプ。
【請求項１３】
前記実質的に固定した投与量の前記液体は、前記標的部位に経時的に連続して注入される、請求項１に記載のポンプ。
【手続補正２】
【補正対象書類名】明細書
【補正対象項目名】００１８
【補正方法】変更
【補正の内容】
【００１８】
本発明は、例えば、以下を提供する：
（項目１）
薬物送達ポンプであって、
薬物貯蔵部と、
該貯蔵部から標的部位まで液体を誘導するカニューレと、
該液体を該貯蔵部から該カニューレを通して押し進めるポンプアクチュエータと、
回路であって、該回路は、該アクチュエータを制御することにより、ｉ）最初に、実質的に固定した投与量の該液体を経時的に該標的部位に送達することと、ｉｉ）該実質的に固定した投与量の該液体の該標的部位への経時的な送達を維持または再開するように、該ポンプの状態の変化を補償することとを行う、回路と
を備える、ポンプ。
（項目２）
前記回路は、以前の送達事象のときにおける前記ポンプの状態を保存するメモリを備える、項目１に記載のポンプ。
（項目３）
前記カニューレを通る前記液体の流量を測定する流量センサをさらに備える、項目１に記載のポンプ。
（項目４）
前記回路は、前記流量の解析に少なくとも部分的に基づいて、前記アクチュエータを制御する、項目３に記載のポンプ。
（項目５）
前記回路は、以前の投与からの保存された前記ポンプの状態に基づいて、前記アクチュエータをさらに制御する、項目４に記載のポンプ。
（項目６）
前記回路は、前記アクチュエータからのリアルタイムデータに基づいて、該アクチュエータをさらに制御する、項目４に記載のポンプ。
（項目７）
前記アクチュエータは、
電解液チャンバと、
拡張可能なダイヤフラムであって、該チャンバと前記貯蔵部とを分離し、それらの間に流体障壁を提供するダイヤフラムと、
該電解液チャンバ内にガスの発生を引き起こして、該ダイヤフラムを拡張させる電解電極であって、それにより、該液体が該貯蔵部から前記カニューレの中に押し進められる、電解電極と
を備える、項目１に記載のポンプ。
（項目８）
ダイヤフラムの拡張は、前記電極に供給される作動電流を変化させることによって調整される、項目７に記載のポンプ。
（項目９）
ダイヤフラムの拡張は、前記電極の作動時間を変化させることによって調整される、項目７に記載のポンプ。
（項目１０）
前記電解電極は、定電流によって駆動される、項目７に記載のポンプ。
（項目１１）
前記電解電極は、時変電流波形によって駆動される、項目７に記載のポンプ。
（項目１２）
前記実質的に固定した投与量の前記液体は、周期的な時間間隔で前記標的部位に送達される、項目１に記載のポンプ。
（項目１３）
前記実質的に固定した投与量の前記液体は、前記標的部位に経時的に連続して注入される、項目１に記載のポンプ。
（項目１４）
薬物送達ポンプから患者まで薬物を送達する方法であって、該薬物送達ポンプは、薬物貯蔵部と、該貯蔵部から患者の中に液体を押し進めるポンプアクチュエータとを備え、該方法は、
該薬物貯蔵部と該患者との間に流体的な連絡を確立することと、
該ポンプアクチュエータを制御することであって、それにより、ｉ）最初に、実質的に固定した投与量の該液体を該薬物貯蔵部から該患者の中に経時的に送達することと、ｉｉ）該実質的に固定した投与量の該液体の該患者の中への経時的な該送達を維持または再開するように、該ポンプの状態の変化を補償することとを行う、ことと
を含む、方法。
（項目１５）
以前の送達事象のときにおける前記ポンプの状態を保存することをさらに含む、項目１４に記載の方法。
（項目１６）
前記患者の中への前記液体の流量を測定することをさらに含む、項目１４に記載の方法。
（項目１７）
前記ポンプアクチュエータを制御することは、前記流量、以前の投与からの保存された前記ポンプの状態、または該ポンプアクチュエータからのリアルタイムデータのうちの少なくとも１つを解析することを含む、項目１６に記載の方法。
（項目１８）
前記ポンプは電解駆動式ポンプであり、該ポンプを制御することは、電解電極に供給される作動電流を変化させることを含む、項目１４に記載の方法。
（項目１９）
前記ポンプは電解駆動式ポンプであり、該ポンプを制御することは、電解電極の作動時間を変化させることを含む、項目１４に記載の方法。
（項目２０）
前記ポンプは電解駆動式ポンプであり、該ポンプを制御することは、定電流によって電解電極を駆動することを含む、項目１４に記載の方法。
（項目２１）
前記ポンプは電解駆動式ポンプであり、該ポンプを制御することは、時変電流波形によって電解電極を駆動することを含む、項目１４に記載の方法。
（項目２２）
前記実質的に固定した投与量の前記液体は、周期的な時間間隔で前記患者の中に送達される、項目１４に記載の方法。
（項目２３）
前記実質的に固定した投与量の前記液体は、前記患者の中に経時的に連続して注入される、項目１４に記載の方法。
本明細書に開示される本発明の実施形態の利点および特徴とともに、これらおよび他の目的は、以下の説明、添付の図面、および特許請求の範囲を参照することによって、より明白になるであろう。さらに、本明細書に記載される種々の実施形態の特徴は、たとえ本明細書に明示的に記載されていなくても、相互に排他的ではなく、種々の組み合わせおよび順列で存在することができることを理解されたい。